(57)【要約】  本発明では、カートリッジのない小型媒体で電子書籍情報が配布され、その媒体は情報の無償配布に使用できる程度に十分に安価に製造可能である。電子書籍情報は、２乃至４ｃｍの直径及び０．６乃至１．２ｍｍの厚みを有する読取専用光ディスクにエンコード及び格納され、その情報は、情報アクセスの信頼度を失わずに、便利にディスクを手で触れたりポケットにしまうことによる情報喪失に対して十分な冗長性及び十分な耐性と共にエンコードされる。ディスクは導入領域及び導出領域を有し、導入領域は、電子情報全てに先行し且つディスクナビゲーションデータを含み、導出領域は電子書籍情報に続く。ディスクは複数のパーティション含み、各パーティションは、他のどのパーティションにもアクセスせずに、パーティション内で電子書籍情報に独立してアクセスするのに十分なアクセス情報を含む。或いは、ディスクはファイルに関する複数のスロットを含み、スロットは等しく隔てられていてもよい。例えば、データの冗長性をもたらすため、少なくともいくつかのパーティションは、重複的な他のパーティションと全て同じデータを含む重複的なパーティションであり、ディスクナビゲーション領域は、全てのパーティション及びパーティション各々に割り当てられた領域を含むパーティション記述子を含み、ディスクは重複的なパーティション記述子を含み、重複的なパーティション記述子は、導入領域に又は導出領域に格納され、ナビゲーション情報の冗長性をもたらす。
2009507314.tif 000002
【特許請求の範囲】
【請求項１】
電子書籍情報を配布する方法であって、
前記電子書籍情報を符号化するステップと、
２乃至４ｃｍの直径及び．６乃至１．２ｍｍの厚みを有する読取専用光ディスクの螺旋状トラック又は環状トラックの巻線に、前記符号化された前記電子書籍情報を格納するステップと、
前記ディスクをカートリッジなしに公衆に無償で配布するステップと、
を有し、前記電子書籍情報は、情報アクセスの信頼性を失わずに、前記読取専用光ディスクが手に触れたりポケットに入れられる程度に充分な冗長性及び充分な耐性と共に符号化されるようにした方法。
【請求項２】
前記読取専用光ディスクが、約３ｃｍの直径及び約１．２ｍｍの厚みを有する請求項１記載の方法。
【請求項３】
前記冗長性のレベルが２より高い請求項１記載の方法。
【請求項４】
前記冗長性は、前記読取専用光ディスクに前記電子書籍情報を重複的に複製することを含み、前記電子書籍情報及び重複的な複製は、前記読取専用光ディスクを読み取る際に同時にスキャンされる請求項１記載の方法。
【請求項５】
データ喪失に簡易に耐えられるように、前記電子書籍情報が、複数の非圧縮ビットマップを含む請求項１記載の方法。
【請求項６】
データ喪失に簡易に耐えられるように、前記電子書籍情報が、一連の非圧縮テキストキャラクタを含む請求項１記載の方法。
【請求項７】
格納されている情報は、セクタ整合パケットの反復シーケンスと共にMPEGビデオストリームを含む請求項１記載の方法。
【請求項８】
２乃至４ｃｍの直径及び０．６乃至１．８ｍｍの厚みを有する基板と、
螺旋状又は環状トラックのエンボス加工された所定の巻線及び情報を表現する前記巻線上のエンボス加工されたマークの領域を含む少なくとも１つの情報層と、
巻線が割り当てられている複数のパーティションであって、各パーティションは、他のどのパーティションにもアクセスせずにパーティション中のデータに独立してアクセスするのに十分なアクセス情報を含み、少なくともいくつかのパーティションは重複的なパーティションであり、該重複的なパーティションは他の重複的なパーティションと全て同じデータを含んでいる複数のパーティションと、
通常のスキャン方向でどのパーティションにも先行し且つパーティション記述子を含むディスクナビゲーション領域を含む導入領域であって、該パーティション記述子は、全てのパーティション及びパーティション各々に割り当てられた領域を示す導入領域と、
最後のパーティションに続く導出領域と、
を有する光ディスク。
【請求項９】
前記導出領域中のデータが、前記導入領域中の様々なパーティション記述子各々の少なくとも１つの複製を含む請求項８記載の光ディスク。
【請求項１０】
前記導入領域が、前記様々なパーティション記述子各々の少なくとも１つの複製を含む請求項８記載の光ディスク。
【請求項１１】
当該光ディスクが、約３ｃｍの直径及び約１．２ｍｍの厚みを有する請求項８記載の光ディスク。
【請求項１２】
全て同じデータを含む重複的なパーティション対は、該重複的なパーティション対各自の領域が隣接しないように、互いに他のパーティションと隔てられる請求項８記載の光ディスク。
【請求項１３】
あるパーティションが当該光ディスクの複数の異なる領域から構成され、前記パーティションの前記複数の領域が、他のパーティションの複数の領域とインターリーブされる請求項８記載の光ディスク。
【請求項１４】
前記パーティション中の前記データが、データ部分の損失に備えてデータの冗長性及び耐性の双方をもたらす手段と共に符号化される請求項８記載の光ディスク。
【請求項１５】
前記重複的なパーティションが、複数のファイル及び該ファイルにアクセスするためのディレクトリ情報を含み、前記ファイルは複数のセグメントを含み、該セグメントは他のファイルのセグメントとインターリーブされる請求項８記載の光ディスク。
【請求項１６】
光ディスクであって、
２乃至４ｃｍの直径及び０．６乃至１．８ｍｍの厚みを有する基板と、
螺旋状又は環状トラックのエンボス加工された所定の巻線及び情報を表現するエンボス加工されたマークの領域を含む少なくとも１つの情報層と、
各データファイルを含む複数のスロットであって、各スロットは、データファイル各々が格納されている１つ以上の領域を規定し、少なくともいくつかのスロットは重複的なスロットであり、該重複的なスロットは他の重複的なスロットと全て同じデータファイルを含んでいる複数のスロットと、
通常のスキャン方向で当該光ディスクのどのスロットにも先行し且つスロット記述子を含むディスクナビゲーション領域を含む導入領域であって、該スロット記述子は、全てのスロット及びスロット各々の少なくとも開始部分を示す導入領域と、
当該光ディスクの最後のスロットに続く導出領域と、
を有する光ディスク。
【請求項１７】
前記スロットの開始部分が、当該光ディスク上で全て等しく隔てられており、
前記スロットの開始部分が、スロットの開始部分間の同じ間隔の指標で全て規定され、前記間隔の指標は前記ディスクナビゲーション領域に含まれる請求項１６記載の光ディスク。
【請求項１８】
約２乃至４ｃｍの直径及び約０．６乃至１．８ｍｍの厚みを有し、螺旋状又は環状トラックのエンボス加工された所定の巻線及び情報を表現するエンボス加工されたマークの領域を含む少なくとも１つの層を有する光ディスクと、
前記光ディスクを保持し、該光ディスクを置換するように開閉可能な容器と、
前記光ディスクが前記容器に挿入され且つ前記容器がスキャン部に挿入された場合に、前記光ディスクを回転させ、前記光ディスクからデータを読み取るためにレーザと共に前記ディスクをスキャンするスキャン部と、
を有するシステム。
【発明の詳細な説明】
【技術分野】
【０００１】
本発明はフリー電子書籍(free  e-books)を配るための読取専用光媒体の技術分野に関連する。
【背景技術】
【０００２】
今日、新聞(メトロ(Metro)、スピッツ(Spits)等)はコンピュータに無償で配布されている。AOLブラウザ等のようなソフトウエアを含むいくつかのCDは無償で配布されている。しかしながら、媒体をプロテクトするのに必要なパッケージング及びCD媒体のコストは、新聞のコストに比較してあまりにも高価なので、CD媒体を用いて無償で電子書籍を配布することは正当化できない。
【０００３】
当業者は以下の文献を参照されたい：
サイモンによる米国出願公開第２００２／０１１２１７２号は、ミニディスクで電子書籍を配ることを開示している（特許文献１）。
【０００４】
アンダーソン等による欧州特許第０５９９７６５号は、磁気ディスクドライブにおける冗長情報を開示している（特許文献２）。
【０００５】
上記の文献はすべて本願のリファレンスに組み入れられる。
【特許文献１】米国出願公開第２００２／０１１２１７２号明細書
【特許文献２】欧州特許第０５９９７６５号明細書
【発明の開示】
【発明が解決しようとする課題】
【０００６】
本発明の課題は、データ損失に備えて強力なデータ冗長性及び耐性を用意し、信頼性を維持できる光ディスクを提供することである。
【課題を解決するための手段】
【０００７】
本発明では、低コストで忠実度の低い小型ディスクが無償の電子書籍を配布するのに使用される。ディスクは保護用のカートリッジを一切備えておらず、ポケットに入れたり手で触った場合に傷や指紋が付きやすく、読取誤り率が非常に高くなることが予想される。このディスクは、データ損失に備えて強力なデータ冗長性及び耐性を用意し、信頼性を維持する。
【発明を実施するための最良の形態】
【０００８】
電子書籍を配る方法において、電子書籍情報はエンコードされ、読取専用光ディスクの螺旋状トラック又は環状トラックの巻線に格納され、その光ディスクは２乃至４ｃｍの直径及び．６乃至１．８ｍｍの厚さを有する。情報は情報の喪失に備えて十分な冗長性及び十分な耐性と共にエンコードされ、ディスクは、情報アクセスの信頼性を失わずに手で触れたりポケットに入れることができる。ディスクはカートリッジなしに無償で公衆に配布される。ディスクは約３ｃｍの直径及び約１．２ｍｍの厚みを有してもよい。
【０００９】
ディスクにおける情報の冗長度合いは、信頼性を維持するように２より大きくてもよい。冗長性については、ディスクの電子書籍情報の二重複写を含んでもよいし、ディスクを読み取る際に二重の情報を同時にスキャンしてもよい。
【００１０】
情報喪失に対する耐性は、画像及び／又は文字の非圧縮ビットマップを用いて用意され、データ喪失に持ちこたえることを簡易に実現できるようにしてもよい。追加的に又は代替的に、情報喪失に対する耐性は、一連の非圧縮テキストキャラクタコードを用いて与えられ、簡易にデータ喪失に耐えられるようにしてもよい。MPEGビデオストリームにセクタ整合パケットの反復シーケンスを含めることで、情報喪失に対する耐性がビデオクリップに与えられてもよい。
【００１１】
本発明の他の形態では、二重のパーティションを利用することで、冗長性及び情報喪失耐性の高いフォーマットがディスクに備わる。読取専用光ディスクは或る基板を有し、その基板は、ユーザがディスクをポケットに入れたり手で触れたりするのに便利なように、２乃至４ｃｍの直径及び０．６乃至１．８ｍｍの厚みを有する。基板の少なくとも１つのデータ層は、螺旋状の又は環状のトラックに予めエンボス加工された巻線の領域と、その巻線上にエンボス加工され情報を表現するマークとを含む。ディスク層の領域は複数のパーティションに分割され、そのパーティションに巻線が割り当てられ、各パーティションは、他のどのパーティションにもアクセスせずに、そのパーティション内のデータに独立にアクセスするのに十分なアクセス情報を含む。少なくともいくつかのパーティションは、二重のパーティションであり、そのパーティションは他方の二重パーティションと同じデータを全て含んでいる。ディスクは、通常のスキャン方向でどのパーティションにも先行する導入領域(lead-in  area)を含み、導入領域はパーティション記述子を含むディスクナビゲーション領域を含む。パーティション記述子は、そのパーティション各々に割り当てられているパーティション及び領域の全てを示す。ディスクは最終パーティションに続く導出領域(lead-out  area)も含む。
【００１２】
導出領域のデータは、導入領域の様々なパーティション記述子各々の少なくとも１つの複製を含んでもよい。導入領域は、導入領域の様々なパーティション記述子各々の少なくとも１つの複製を含んでもよい。
【００１３】
重複的なデータは、データの複製双方が、傷、切り目、へこみ、汚れ等の同じ原因でダメージを受けてしまうリスクを減らすためにばらばらにされるべきである。全て同じデータを含む１対の重複的なパーティションは、他のパーティションと分離され、その重複的なパーティション対の各領域が隣接しないようにする。また、パーティションはディスクの複数の異なる領域を構成し、そのパーティションの複数の領域は、同一データの複製を離すため、他のパーティションの複数の領域と共にインターリーブされてもよい。
【００１４】
重複的なパーティションは複数のファイルや、ファイルへのアクセスに備えてディレクトリ情報を含んでもよく、ファイルは、他のファイルのセグメントと共にインターリーブされる複数のセグメントで構成されてもよい。
【００１５】
本発明の他の形態では、二重のファイルを利用することで、冗長性及び情報喪失耐性の高いフォーマットがディスクに備わる。光ディスクはデータファイル各々を含む複数のスロットを含み、各スロットは１つ以上の領域を規定し、その１つ以上の領域にデータファイル各々が格納され、スロットの少なくともいくつかは重複的なスロットであり、重複的なスロット各々は他の重複的なスロットと同じデータを含む。通常のスキャン方向でどのスロットにも先行する導入領域は、スロット記述子を含むディスクナビゲーション領域を含む。スロット記述子は、全てのスロット及びスロット各々の少なくとも開始部分を示す。導出領域はディスクの最終ファイルスロットに続く。
【００１６】
スロットの初めの部分は、ディスク上で全て等しい間隔になっていてもよい。また、スロットの開始部分は、スロット開始部間の同じ間隔の指標(indication)によって全て規定されてもよく、その間隔の指標はディスクナビゲーション領域に含まれている。
【００１７】
上記の光ディスクは、高い冗長性及びデータ損失耐性を有し、誤り率及びデータ損失率の高い状況でも十分な信頼性をもたらすように光システム内で使用される。システムは約２乃至４ｃｍの直径及び約０．６乃至１．８ｍｍの厚みを有する光ディスク基板を含んでもよい。基板は少なくとも１つの層を含み、その層は螺旋状又は環状のトラックに予めエンボス加工された巻線の領域を含み、その巻線は、情報を表現するエンボス加工されたマークを含む。ディスクを保持するために容器(caddy)が用意され、その容器はディスクを置換するために開閉可能である。光システムはスキャニング部を有し、ディスクが容器に挿入され、容器がスキャニング部に挿入された場合、スキャニング部は、ディスクを回転させ、ディスクからデータを読み取るためにレーザと共に回転するディスクをスキャンする。スキャニング部は、スピーカ及びディスプレイと共にプレーヤに組み込まれてもよい。
【００１８】
本発明の他の形態は、添付図面を参照しながら以下の本発明の詳細な説明から当業者にとって更に明らかになるであろう。
【００１９】
図１のフローチャート１００は、電子書籍情報を配布するための本発明の一実施例を示す。ステップ１０２で電子書籍情報は符号化され、符号化された電子書籍情報はステップ１０４で読取専用光ディスクの螺旋状又は環状トラックの巻線にて記憶され、読取専用光ディスクは２乃至４ｃｍの直径及び．６乃至１．２ｍｍの厚さを有し、その情報は、ディスクが手で触れられたりポケットに入れられることによる情報喪失に備えて十分な冗長性及び十分な耐性とともに符号化され、情報アクセスの信頼性を失われないようにする。そしてステップ１０６でディスクは容器なしに無償で公衆に配布される。
【００２０】
電子書籍情報を公衆に無償で配布するには、そのディスクは非常に低コストで製造される必要がある。従ってカートリッジ(SFFD等)に入っているディスクを使用することはできない。ディスクはプロテクトされていないので、そのディスクは情報喪失に備えてしっかりした冗長性及び耐性を備えていなければならない。
【００２１】
ディスクは約３ｃｍの直径及び約１．２ｍｍの厚さであり、これは衣服のポケットに入れるのに好都合な大きさである。冗長度合いは２より多くすべきであり、１０と同程度に大きくてもよい。冗長にすることは、情報の重複的なコピーをディスクに用意することを含み、その情報及び重複的なコピーはディスクを読み取る際に同時にスキャンされてもよい。符号化された情報は複数の非圧縮ビットマップを含み、データ喪失に簡易に持ちこたえられるようにする。画像及び文字の双方がビットマップとして格納されてもよい。情報は一連の非圧縮テキストキャラクタコードを含み、データ喪失に簡易に持ちこたえられるようにする。例えばアスキー(ASCII)コードがテキストを格納するのに使用可能である。セクタ整合パケットの反復的なシーケンスによって用意された冗長性と共に、MPEGビデオクリップが含められてもよい。
【００２２】
図２Ａ及び２Ｂは本発明による光ディスク１０の具体例を示す。光ディスクは２乃至４ｃｍの直径及び０．６乃至１．８ｍｍの厚みの基板を含む。ディスクの基板内の少なくとも１つの情報層１１４は、螺旋状又は環状トラックの浮き出しにされた所定の巻線１１６と、情報を表す巻線上の浮き出しにされたマーク１１８との領域を含む。
【００２３】
図３は図２Ａの光ディスク１１２の情報層１１４のフォーマットを示す。巻線には複数のパーティション１２０，１２１，１２２，１２３が割り当てられる。各パーティションは、他のどのパーティションにもアクセスせずに、そのパーティション内のデータへ独立してアクセスするのに十分なアクセス情報を含む。少なくともいくつかのパーティションは重複的なパーティションであり、重複的なパーティションは別の重複的なパーティションと全て同じデータを含む。ここではパーティション１２０と１２２が重複的であり、パーティション１２１と１２３が重複的である。
【００２４】
巻線は導入領域１２６も含み、導入領域は、通常のスキャン方向でどのパーティションにも先行し且つパーティション記述子１３０を含むディスクナビゲーション領域１２８を含み、パーティション記述子は、そのパーティション各々に割り当てられている領域及びパーティション全てを示す。巻線は最後のパーティションに続く導出領域１３２も含む。導出領域内のデータは、導入領域内の様々なパーティション記述子各々の少なくとも１つの複製を含んでもよい。導入領域は、その導入領域内の様々なパーティション記述子各々の少なくとも１つの複製を含んでもよい。
【００２５】
光ディスクは約３ｃｍの直径及び約１．２ｍｍの厚みを有し、ユーザによる取り扱いやユーザのポケットにしまうのに便利にしてよい。
【００２６】
光ディスクは、同じデータを含み且つ一方のパーティションと互いに離れた重複的なパーティション対を含み、重複的なパーティション対の領域同士が隣接しないようにしてもよい。
【００２７】
図４ではパーティションが複数の領域に分割され、複数の領域は、他のパーティションを含む複数のパーティションと共にインターリーブされる。図４ではパーティション１４０は３つの領域から成り、それらの領域は他のパーティションの部分１４１，１４２，１４３とインターリーブされている。
【００２８】
パーティション中のデータは、データ喪失に備えてデータの冗長性及び耐性の双方をもたらす手段と共に符号化される。データの冗長性は、データ全ての複数の複製をディスクに用意することにより及び／又はデータのECCエンコーディングにより実現可能である。データ喪失に対する耐性は、非圧縮のデータ又は僅かに圧縮された部分を格納し、文字及び画像をビットマップとして格納するような障害耐性フォーマットにデータをエンコードすることで実現され、たとえ多くのデータが失われたとしても、十分なビットマップデータにより依然として人が理解可能なデータを表示できるようにする。
【００２９】
重複的なパーティションのそれぞれは、複数のファイル及びファイルへアクセスするためのディレクトリ情報を含み、ファイルは複数のセグメントで構成され、複数のセグメントは、図４でパーティションがインターリーブされたのと同様に、他のファイルのセグメントとインターリーブされる。
【００３０】
図５は光ディスク１１２の情報層１１４の別の例を示し、データファイルをそれぞれ含む複数のスロット１５１，１５２，１５３，１５４が巻線に割り当てられている。各スロットは１つ以上の領域を規定し、その１つ以上の領域にデータファイル各々が格納される。少なくともいくつかのスロットは重複的なスロットであり、重複的なスロットは他の重複的なスロットと同じデータを含む。導入領域１６０は、通常のスキャン方向１６２でディスク中のどのスロットにも先行している。導入領域はスロット記述子１６６を含むディスクナビゲーション領域１６４を含み、スロット記述子は、全てのスロット及び各スロットの少なくとも開始位置を示す。情報層の巻線には、情報層の最終スロットに続く導出領域１６８も割り当てられている。
【００３１】
スロットはディスク上で全て等しく隔たった開始部を有し、全てのスロットの開始部分が、スロットの開始部間の間隔を同じ指標で規定できるようにし、その間隔の指標はディスクナビゲーション領域１６４内に用意することができる。
【００３２】
図６は図２Ａのディスクを再生するためのシステムを示す。システムは上述の図２Ａの光ディスク１１２を含む。システムはディスクを保持する容器２００を含み、その容器はディスクを置き直せるように開閉可能である。容器はその容器を開けるためのヒンジを有し、ディスクが容器に挿入できるように及び容器から取り出せるようにする。再生システムは走査部２０６を含み、ディスクが容器に挿入され且つ容器が走査部に挿入された場合、走査部はディスクを回転させ且つディスクからデータを読み取るようにレーザビームと共にディスクをスキャンする。
【００３３】
以上本発明が特定の実施例を参照しながら説明されてきたが、添付の特許請求の範囲に記述されるような本発明の範囲及び精神から逸脱せずに、多くの変形例が理解されるであろう。従って明細書及び図面は例示的なものであり、添付の特許請求の範囲を限定することは意図されていない。
【００３４】
特許請求の範囲を解釈する際、以下の事項が理解されているべきである：
ａ）「有する(comprising)」なる用語は、所与の請求項の中で列挙されたもの以外の要素や行為の存在を排除するものではない。
【００３５】
ｂ）要素に先行する「ある」又は「或る」は、そのような要素が複数存在することを排除するものではない。
【００３６】
ｃ）（もし存在したとしても）請求項中の如何なる参照符号も、特許請求の範囲を限定するものではない。
【００３７】
ｄ）いくつかの「手段」は、同じアイテム又はハードウエアで実現されてもよいし、構造又は機能を実現するソフトウエアで実現されてもよい。
【００３８】
ｅ）開示されるどの要素も、ハードウエア部分（例えば、個別的な又は統合された電子回路を含む）、ソフトウエア部分（例えば、コンピュータプログラミング）及びそれらの如何なる組み合わせで構築されもよい。
【００３９】
ｆ）ハードウエア部分は、アナログとディジタル部分の一方又は双方で構築されてもよい。
【００４０】
ｇ）開示されるどの装置も又はその装置のどの部分も、特に明確に言及しない限り、別の部分と一緒に結合されてもよいし或いは別々にされてもよい。
【００４１】
ｈ）特に明確に言及しない限り、一連の行為の具体的な順序は決して必須ではない。
【図面の簡単な説明】
【００４２】
【図１】電子書籍を用意する本発明の一実施例による方法例を示すフローチャートである。
【図２Ａ】本発明による光ディスクの具体例を示す図である。
【図２Ｂ】本発明による光ディスクの具体例を示す図である。
【図３】図２の光ディスクの情報層のフォーマットを示す図である。
【図４】図３の情報層のレイアウトの具体例（導入領域、導出領域及びインターリーブされた重複的部分を含む）を示す。
【図５】巻線が複数スロットに割り当てられた場合の図３の情報層の別の例を示す図である。
【図６】図２のディスクを再生する本発明によるシステムを示す図である。
【図１】
2009507314.tif 000003
【図２Ａ】
2009507314.tif 000004
【図２Ｂ】
2009507314.tif 000005
【図３】
2009507314.tif 000006
【図４】
2009507314.tif 000007
【図５】
2009507314.tif 000008
【図６】
2009507314.tif 000009